(57)【要約】【課題】レーザ光の減衰が生じにくい歯科治療装置を提供する。【解決手段】歯科治療装置であって、超音波振動子によって振動する振動部の軸方向に振動部とは離間して挿通されるシャフト部（後記）に直接に接触しないように構成される振動部と、超音波振動を伝達するとともに過酸化水素水と後記レーザ光を先端から出すための先端付近が曲部で曲げられたチップ部と、シャフト部の側面に設けられた供給口から供給された過酸化水素水を流通させるためにシャフト部内及びチップ部に設けられた流路と、シャフト部と一体に組み立てられるレーザ光源並びにレーザ光学レンズ系と、レーザ光源並びにレーザ光学レンズ系からのレーザ光を伝達するための前記流路と分離され、シャフト部内及びチップ部に設けられた光路であって、前記レーザ光源、レーザ光学レンズ系、およびチップ部の曲部に至るまでの光路は直線的に配列された光路と、を備える。【選択図】図１
2020037040.tif 000002
【特許請求の範囲】
【請求項１】
歯石又は歯垢の除去と歯の消毒とをする歯科治療装置であって、
超音波振動を発生する振動子によって振動するとともに振動部の軸方向に振動部とは離間して挿通されるシャフト部（後記）に直接に接触しないように構成される振動部と、
前記振動部に接続されて前記超音波振動を伝達するとともに過酸化水素水と後記レーザ光を先端から出すための先端付近が曲部で曲げられたチップ部と、
前記チップ部から過酸化水素水を放出するため、シャフト部の側面に設けられた供給口から供給された過酸化水素水を流通させるためにシャフト部内及びチップ部に設けられた流路と、
チップ部から見て振動部よりも遠い側に配置され、シャフト部と一体に組み立てられる過酸化水素水を光分解するレーザ光を照射するためのレーザ光源並びにレーザ光学レンズ系と、
レーザ光源並びにレーザ光学レンズ系からのレーザ光を伝達するための前記流路と分離され、シャフト部内及びチップ部に設けられた光路であって、前記レーザ光源、レーザ光学レンズ系、およびチップ部の曲部に至るまでの光路は直線的に配列された光路と、を備え、
前記光路は、レーザ光源からのレーザ光が光ファイバからなる光路に入射されるよりも前に、過酸化水素水を光分解するレーザ光が過酸化水素水中を通らないように前記レーザ光源並びにレーザ光学レンズ系からのレーザ光を伝達し、過酸化水素水の流路をシャフト部内の光ファイバ及びチップ部内に遊嵌されるライトガイドからなる光路と分離したこと
を特徴とする歯科治療装置。
【発明の詳細な説明】
【技術分野】
【０００１】
本発明は、歯科診療において、歯周病の予防、治療に用いられる歯科治療装置に関するものである。
【背景技術】
【０００２】
近年、歯周ポケットに病原細菌が繁殖することによって発症する炎症性疾患、いわゆる歯周病が問題となっている。この歯周病を治療するために、歯石や歯垢を超音波振動を利用して歯科用スケーラーによってクリーニング（清掃）することが実施されている。
【０００３】
歯石や歯垢には多くの細菌が付着しているため、歯石や歯垢の除去を行う場合、歯石等を除去される部分や除去した部分を消毒することが好ましい。細菌を消毒・殺菌処理するために、例えば、オートクレーブ装置が利用されている。このオートクレーブ装置では、高圧・高温の液体内に消毒・殺菌処理される物を数１０分間浸漬して殺菌処理を行う。
【０００４】
上述したクリーニングと消毒・殺菌処理とを同時に行うことができる装置として、特許文献１の歯石除去・消毒装置が知られている。この歯石除去・消毒装置では、超音波振動によって歯石の粉砕を行うのと同時に、消毒用液を先端部から供給して光を照射することによってヒドロキシラジカルを発生させて消毒を行うようになっている。
【先行技術文献】
【特許文献】
【０００５】
【特許文献１】特開２０１２−７５６０２号公報
【発明の概要】
【発明が解決しようとする課題】
【０００６】
しかしながら、上述した特許文献１の歯石除去・消毒装置では、レーザ光が過酸化水素水中を通るように構成されているため、レーザ光が過酸化水素水によって散乱されて大きく減衰してしまうという問題があった。
【０００７】
すなわち、従来は、図５に示すように、光源ａで発生したレーザ光は、集光レンズｂ、ｃで集光され、流路ｄ内の殺菌剤中を伝達されるように構成されていた。このため、レーザ光は殺菌剤によって散乱され、大きく減衰されて振動部ｅの先端ｆまで到達していたのである。
【０００８】
そこで、本発明は、レーザ光の減衰が生じにくい歯科治療装置を提供することを目的としている。
【課題を解決するための手段】
【０００９】
前記目的を達成するために、本発明の歯科治療装置は、歯石又は歯垢の除去と歯の消毒とをする歯科治療装置であって、超音波振動を発生する振動子によって振動する振動部と、前記振動部に接続されて前記超音波振動を伝達されるチップ部と、前記チップ部から殺菌剤を放出するための流路と、前記チップ部から前記殺菌剤を光分解するレーザ光を照射するための光学系であって、前記流路と分離された光路を有する光学系と、備えることを特徴とする。
【発明の効果】
【００１０】
このように、本発明の歯科治療装置は、歯石又は歯垢の除去と歯の消毒とをする歯科治
療装置である。この歯科治療装置は、超音波振動を発生する振動子によって振動する振動部と、振動部に接続されて超音波振動を伝達されるチップ部と、チップ部から殺菌剤を放出するための流路と、チップ部から殺菌剤を光分解するレーザ光を照射するための光学系であって、流路と分離された光路を有する光学系と、を備えている。この構成によって、殺菌剤によるレーザ光の散乱が生じにくくなるため、チップ部の先端から高強度のレーザ光を照射して、効率よく殺菌剤を光分解できるようになる。
【図面の簡単な説明】
【００１１】
【図１】歯科治療装置の全体構成を説明する斜視図である。
【図２】実施例の振動部とシャフト部の構成を説明する断面図である。
【図３】シャフト部の構成を模式的に説明する説明図である。（ａ）は断面図であり、（ｂ）は先端側の側面図である。
【図４】スペーサ部材の構成を説明する説明図である。（ａ）は断面図であり、（ｂ）は斜視図である。
【図５】従来例の振動部とシャフト部の構成を説明する断面図である。
【発明を実施するための形態】
【００１２】
以下、本発明の実施の形態について図面を参照して説明する。
【実施例】
【００１３】
（構成）
まず、図１を用いて本実施例の歯科治療装置１の構成を説明する。本実施例の歯科治療装置１は、振動部２と流路４と光学系５とを覆うカバー１０を備えている（図２参照）。カバー１０の基端には、後述する殺菌剤を供給する供給管４４と電気を供給するコード５５とが接続されている。カバー１０の先端には、チップ部３が脱着可能に取り付けられている。このチップ部３を用いて、歯石又は歯垢の除去及び消毒・殺菌とが実行される。
【００１４】
歯科治療装置１は、操作者が手で保持して、患者の口腔内で操作するものであるため、設計に際して、装置全体の小型化、操作性、安全面への配慮は基本的な要件である。
【００１５】
本実施例の歯科治療装置１は、図２に示すように、超音波振動を発生する振動子２１によって振動する振動部２と、振動部２に接続されて超音波振動を伝達されるチップ部３と、チップ部３から殺菌剤を放出するための流路４と、チップ部３から殺菌剤を光分解するレーザ光を照射するための光学系５と、を備えている。
【００１６】
振動部２は、ステンレスなどの腐食しにくい合金によって、略円筒形に形成される。振動部２の所定位置には、超音波振動を発生する振動子２１が取り付けられている。振動子２１は、圧電素子を組み合わせたものであり、コントローラ（不図示）から供給される所定周波数の電圧によって駆動されて振動する。振動方向はカバー１０の軸方向（長手方向）となる。
【００１７】
振動部２の内部の基端側からは、光源５０と一体に組み立てられるシャフト部６が、振動部２の軸方向（長手方向）に沿って挿通されている。シャフト部６の外径は、振動部２の内径よりも小さくされることにより、シャフト部６が振動部２と直接に接触しないようにされている。
【００１８】
シャフト部６は、図３の説明図に示すように、全体として略円柱状に形成される部材であり、軸中心を貫通する孔６１と、孔６１の周りに配置された流路４１、・・・と、を備えている。
【００１９】
孔６１は、シャフト部６の軸中心を軸方向に貫通する円形の貫通孔であり、孔６１に光学系５を構成するファイバーロッド５１が挿通される。ファイバーロッド５１は、いわゆる光ファイバーであり、コア、クラッド、被覆の３重構造となっている。コアの屈折率はクラッドよりも高く、全反射や屈折により光を中心部のコアを通じて伝播させる構造になっている。
【００２０】
流路４１、・・・は、図３（ａ）に示すように、４つの扇形の孔として形成され、それぞれ、９時、１２時、１５時、１８時の方向に配置されている。なお、流路４１、・・・の形状・配置は、この実施例の形態に限定されず、他の形状・配置にすることもできる。例えば、円形の孔であってもよいし、より多数の孔を設けることもできる。
【００２１】
チップ部３は、合金などによって、先端が尖った中空の鉤形状（Ｌ字状）に形成される。チップ部３は、振動部２の先端側に接続されることによって振動し、歯Ｔに付着した歯石や歯垢を除去できるようになっている。なお、チップ部３の形状は、鉤形状に限定されず、直線状や円弧状などであってもよい。
【００２２】
さらに、本実施例のチップ部３の内部には、チップ部３の基端３１から先端３２までレーザ光を伝達するライトガイド５２が嵌め込まれている。ライトガイド２２は、使用する殺菌剤よりも屈折率の高い樹脂によって形成されている。例えば、アクリル樹脂などを用いることができる。
【００２３】
ライトガイド５２は、チップ部３の内部に遊嵌状態で挿入されている。したがって、チップ部３の内表面とライトガイド５２の外表面との間には殺菌剤が流れる流路４３が形成されている。
【００２４】
流路４は、供給管４４が接続される取込口４０と、シャフト部６の基端側の流路４１と、振動部２の内部の先端側のスペーサ７、７及びファイバーロッド５１以外の空間によって形成される流路４２と、チップ部３の内部の流路４３と、によって構成される。
【００２５】
光学系５は、レーザ光を発生する半導体光源である光源５０と、発生したレーザ光を集光するレンズ５３、５４と、シャフト部６内で集光されたレーザ光を伝達するファイバーロッド５１と、チップ部３内でレーザ光を伝達するライトガイド５２と、から構成される。すなわち、本実施例の光学系５は、殺菌剤の流路４から分離されている。
【００２６】
光源５０、レンズ５３、５４は、シャフト部６の基端側に、所定の相対位置関係で固定される。光源５０は、半導体レーザ（ＬＤ）、又は、発光ダイオード（ＬＥＤ）等である。
【００２７】
光源５０で発生されるレーザ光の波長は、殺菌剤を光分解するのに適した範囲に設定する。例えば、殺菌剤として過酸化水素水を選択した場合には、レーザ光の波長は４０５ｎｍとすることが好ましい。
【００２８】
（作用）
次に、本実施例の歯科治療装置１の作用について説明する。本実施例の歯科治療装置１によれば、以下に説明するクリーニングと消毒・殺菌とを、同時に実施できる。クリーニング（歯石除去等）を実施するためには、コントローラを操作して、振動子２１を振動させて超音波振動を発生させる。超音波振動は、振動部２を介してチップ部３に伝達される。そして、チップ部３の先端３２を歯石等に押し当て、超音波振動によって歯石を粉砕する。
【００２９】
これと同時に、消毒・殺菌を実施するためには、コントローラを操作して、光源５０を点灯させる。光源５０から放射された光は、レンズ５３、５４によって集光されて、ファイバーロッド５１の基端に入射する。入射した光は、殺菌剤中ではなく、ファイバーロッド５１中を伝達されて、ライトガイド５２まで到達する。そして、ライトガイド５２内を伝達された光は、ライトガイド５２の先端から放射される。この光によって、消毒液中にヒドロキシラジカルを発生させ、ヒドロキシラジカルによって消毒（殺菌・滅菌）が行われる。
【００３０】
（効果）
次に、本実施例の歯科治療装置１の効果を列挙して説明する。
【００３１】
（１）本実施例の歯科治療装置１は、歯石又は歯垢の除去と歯の消毒とをする歯科治療装置１である。この歯科治療装置１は、超音波振動を発生する振動子２１によって振動する振動部２と、振動部２に接続されて超音波振動を伝達されるチップ部３と、チップ部３から殺菌剤を放出するための流路４と、チップ部３から殺菌剤を光分解するレーザ光を照射するための光学系５であって、流路４と分離された光路を有する光学系５と、を備えている。
【００３２】
したがって、殺菌剤によるレーザ光の散乱が生じにくくなるため、チップ部３の先端から高強度のレーザ光を照射して、効率よく殺菌剤を光分解できるようになる。
【００３３】
（２）チップ部３には、光学系５としてチップ部３の先端までレーザ光を誘導するライトガイド５２が配置され、光学系５の光源５０の近傍からライトガイド５２の基端部５２ａまで延設されるファイバーロッド５１をさらに備えている。
【００３４】
これにより、歯科治療装置１の基端側に光源５０を配置し、かつ、先端側に振動子２１を配置することにより、歯科治療装置１全体の小型化を達成しつつ、レーザ光の減衰を抑制できる。
【００３５】
つまり、チップ部３を効率よく振動させるためには振動子２１は先端側に位置するほうが好ましい。そうすると、装置全体を小型化するためには、光源５０は基端側に配置することになる。そこで、基端側の光源５０から先端側までレーザ光を伝達するファイバーロッド５１を配置することにより、レーザ光の減衰を抑制しているのである。
【００３６】
（３）振動部２の内部の基端側には、光源５０と一体に組み立てられるシャフト部６が、振動部２の軸方向に沿って挿通され、シャフト部６には、ファイバーロッド５１が挿通される孔６１が軸中心に配置されるとともに、孔６１の周りに流路４１が配置されている。
【００３７】
このため、このシャフト部６によって、光学系５の各要素の相対位置関係を維持しつつ、流路４１も構成することができる。換言すると、振動部２内の狭い空間において、流路４と光路の両方を確保できる。
【００３８】
（４）シャフト部６は、振動部２の内部と直接に接触しないように形成されている。これによって、振動部２の超音波振動がシャフト部６に伝達されて、光源５０や集光レンズ５３、５４に不具合を生じることを防止できる。
【００３９】
（５）振動部２の内部における先端側には、ファイバーロッド５１を挟持するスペーサ部材６２が配置されていることによって、狭い空間内でもファイバーロッド５１の位置を維持しつつ、光路と流路４とを分離できる。
【００４０】
（６）殺菌剤は、過酸化水素、カテキン類を含む殺菌剤、又はポリフェノール溶液から選択できる。これにより、カテキン類を含む殺菌剤による過酸化水素分解法によって、歯周を殺菌できる。あるいは、ポリフェノールにより口腔内の創傷治療促進、炎症時の酸化ストレス（好中球などの炎症性細胞が産生する活性酸素種）の軽減を行うことができる。
【００４１】
（７）殺菌剤として過酸化水素を用いた場合に、レーザ光の波長が４０５ｎｍとすることができる。これにより、効率よくヒドロキシラジカルを発生させることができる。さらに、この波長の光は、人体に対して安全であり、かつ、歯周病菌の増殖の抑制に有効であるため、いっそう消毒効果を助長することができる。
【００４２】
以上、図面を参照して、本発明の実施例を詳述してきたが、具体的な構成は、この実施例に限らず、本発明の要旨を逸脱しない程度の設計的変更は、本発明に含まれる。
【００４３】
例えば、レーザ光の波長は、４００〜５００ｎｍの範囲で調整できるようにしてもよい。このように、歯周病の状況に応じて波長を変えることができれば、コストパフォーマンスのよい装置となる。
【００４４】
さらに、実施例では、殺菌剤の流路とレーザ光の光路とが、完全に分離されているとして説明したが、これに限定されるものではない。ごく短い距離であれば、流路と光路とが分離されずに重なり合う領域が存在しても、本発明の技術思想の範囲に含まれる。
【符号の説明】
【００４５】
１          歯科治療装置
２          振動部
２１        振動子
３          チップ部
４          流路
４１        流路
５          光学系
５０        光源
５１        ファイバーロッド
５２        ライトガイド
６          シャフト部
６１        孔
６２        スペーサ
【図１】
2020037040.tif 000003
【図２】
2020037040.tif 000004
【図３】
2020037040.tif 000005
【図４】
2020037040.tif 000006
【図５】
2020037040.tif 000007